(57)【要約】車両用空調システムのブロアシステム及びブロアシステムの動作方法である。ブロアシステムは、車室内に循環される空気を受け入れるブロアケースを備えている。ブロアシステムは第１ダンパ及び第２ダンパを備え、各ダンパの位置は、車室の空気をブロアケース内に再循環させる再循環位置と、車両の外からブロアケース内に新鮮な空気を導入する新鮮位置と、の間で選択的に変化する。車両用空調システムの出口温度が算出される。この算出された出口温度に基づいて、第１及び第２ダンパの位置を制御するための制御システムが備えられている。算出された出口温度が第１温度未満の場合、制御システムは、第１ダンパと第２ダンパとを再循環位置まで開いて車室の空気をブロアケース内に再循環させる。算出された出口温度が第１温度と該第１温度より高い第２温度との間の温度である場合、制御システムは、相対湿度及び車速に基づいて、第１ダンパ又は第２ダンパのいずれか一方を新鮮位置まで開いて車両の外から新鮮な空気をブロアケース内に導入するとともに、他方のダンパを選択的に再循環位置又は新鮮位置まで開く。算出された出口温度が第２温度以上である場合、第１ダンパ及び第２ダンパは共に新鮮位置まで開く。
2008517822.tif 000002
【特許請求の範囲】
【請求項１】
車両用空調システムの圧縮機の負荷を低減させるために車室内の空気の再循環を制御する方法であって、
前記車両用空調システムの出口温度を算出するステップと、
前記車両用空調システムの算出された出口温度が前記車両用空調システムの第１所定出口温度及び前記第１所定出口温度よりも高い前記車両用空調システムの第２所定出口温度のいずれか一方以上であるか否かを判断するステップと、
前記算出された出口温度が前記第１所定出口温度未満である場合、前記車室内の空気を前記車両用空調システム内に再循環させるステップと、
前記算出された出口温度が前記第１所定出口温度以上で且つ前記第２所定出口温度未満である場合、新鮮な空気を前記車両用空調システム内に導入させるとともに、前記車室から空気を前記車両用空調システム内に再循環させるステップと、
前記算出された出口温度が前記第２所定出口温度以上である場合、新鮮な空気のみを前記車両用空調システム内に導入させるステップと、
から成ることを特徴とする方法。
【請求項２】
前記算出された出口温度が前記第２所定出口温度未満である場合、更に、
前記車室内の相対湿度を測定するステップと、
車両の速度を測定するステップと、
前記車室内の測定された相対湿度が所定レベル以下である場合、新鮮な空気のみを前記車両用空調システム内に導入するステップと、
前記測定された相対湿度が前記所定レベルを超える場合、前記車両の測定された速度に応じて、新鮮な空気を前記車両用空調システム内に導入するステップと、
を実行する請求項１に記載の方法。
【請求項３】
前記車両の測定された速度に応じて、新鮮な空気を前記車両用空調システム内に導入する前記ステップは、
新鮮な空気と前記車室から再循環された空気とを前記車両用空調システム内に導入することと、
新鮮な空気のみを前記車両用空調システム内に導入することと、
のいずれか一方から成る請求項２に記載の方法。
【請求項４】
車両用空調システムの圧縮機の負荷を低減させるために前記車両用空調システムのブロアケースにおける空気の循環を制御する方法であって、
前記車両用空調システムの出口温度を算出するステップと、
前記車両用空調システムの算出された出口温度が前記車両用空調システムの第１所定出口温度及び前記第１所定出口温度よりも高い前記車両用空調システムの第２所定出口温度のいずれか一方以上であるか否かを判断するステップと、
前記算出された出口温度が前記第１所定出口温度未満である場合、第１ダンパと第２ダンパとを再循環位置まで開いて車室の空気を前記ブロアケース内に再循環させるステップと、
前記算出された出口温度が前記第２所定出口温度以上である場合、前記第１ダンパと前記第２ダンパとを新鮮位置まで開いて新鮮な空気のみを前記ブロアケース内に導入するステップと、
前記算出された出口温度が前記第１所定出口温度以上で且つ前記第２所定出口温度未満である場合、少なくとも１つの所定の条件に応じて、前記第１ダンパ及び前記第２ダンパの一方を前記新鮮位置まで開くとともに前記第１ダンパ及び前記第２ダンパの他方を前記新鮮位置及び前記再循環位置の一方まで開いて、新鮮な空気のみを前記ブロアケース内に導入するか又は新鮮な空気と前記車室から再循環された空気との混合物を前記ブロアケース内に導入するステップと、
から成る方法。
【請求項５】
前記少なくとも１つの所定の条件は湿度を含んでおり、前記算出された出口温度が前記第１所定出口温度以上で且つ前記第２所定出口温度未満である場合、更に、
前記車室内の相対湿度を測定するステップと、
車両の速度を測定するステップと、
前記車室内の測定された相対湿度が所定レベル以下である場合、前記第１ダンパと前記第２ダンパとを前記新鮮位置まで開いて新鮮な空気のみを前記車両用空調システム内に導入するステップと、
前記測定された相対湿度が前記所定レベルを超える場合、前記車両の測定された速度に応じて前記第１ダンパ及び前記第２ダンパの少なくとも一方を前記新鮮位置まで開いて前記車両用空調システム内に新鮮な空気を導入するステップと、
を実行する請求項４に記載の方法。
【請求項６】
前記車両の測定された速度に応じて前記第１ダンパ及び前記第２ダンパの少なくとも一方を前記新鮮位置まで開いて前記車両用空調システム内に少なくとも新鮮な空気を導入する前記ステップは、
前記車両の第１の所定の速度条件に応じて、前記第１ダンパ及び前記第２ダンパの一方を前記新鮮位置まで開いて前記車両の外から新鮮な空気を前記車両用空調システム内に導入するとともに前記第１ダンパ及び前記第２ダンパの他方を前記再循環位置まで開いて前記車室に少なくとも残存する空気を前記車両用空調システム内に再循環させるステップと、
前記車両の第２の所定の速度条件に応じて、前記第１ダンパと前記第２ダンパとを前記新鮮位置まで開いて新鮮な空気のみを前記車両用空調システム内に導入するステップと、
のいずれか一方のステップから成る請求項５に記載の方法。
【請求項７】
車両用空調システムのブロアシステムであって、
車室内に循環される空気を受け入れるブロアケースと、
第１ダンパ及び第２ダンパと、
制御システムと、
から成り、
前記第１ダンパ及び前記第２ダンパの各々は、前記車室の空気を前記ブロアケース内に再循環させる再循環位置と、車両の外から新鮮な空気を前記ブロアケース内に導入する新鮮位置と、の間で選択的に移動可能であり、
前記制御システムは、
前記車両用空調システムの出口温度を算出する計算実行部と、
第１制御実行部と、
第２制御実行部と、
第３制御実行部と、
から成り、
前記制御システムは、前記車両用空調システムの算出された出口温度に応じて、前記第１ダンパ及び前記第２ダンパの個々を前記再循環位置と前記新鮮位置との間で移動させ、
前記第１制御実行部は、前記算出された出口温度が前記車両用空調システムの第１所定出口温度未満である場合、前記第１ダンパ及び前記第２ダンパの各々を前記再循環位置まで移動させ、
前記第２制御実行部は、所定の環境条件に応じて、前記第１ダンパ及び前記第２ダンパの一方を前記新鮮位置に移動させるとともに前記第１ダンパ及び前記第２ダンパの他方を前記新鮮位置又は前記再循環位置に選択的に移動させ、
前記第３制御実行部は、前記算出された出口温度が前記車両用空調システムの第２所定出口温度以上である場合、前記第１ダンパ及び前記第２ダンパを前記新鮮位置まで開くことを特徴とするブロアシステム。
【請求項８】
前記ブロアシステムは、更に、
前記車室内の相対湿度を測定して湿度信号を発生させる湿度センサと、
車両の速度を測定して車速信号を発生させる速度センサと、
前記湿度信号と前記車速信号とを受信する湿度応答型制御実行部と、
から成り、
前記所定の環境条件は湿度であり、
前記湿度応答型制御実行部は、前記算出された出口温度が前記第１所定出口温度と前記第２所定出口温度との間の温度であるときに動作し、
前記湿度応答型制御実行部は、更に、
第１操作実行部と
第２操作実行部と、
から成り、
前記第１操作実行部は、前記車室内の測定された相対湿度が所定レベル以下であるか否かを判断するとともに、前記第３制御実行部を作動させて前記第１ダンパ及び前記第２ダンパを前記新鮮位置まで開き、前記車両用空調システム内に新鮮な空気のみを導入し、
前記第２操作実行部は、前記測定された相対湿度が前記所定レベルを超えているか否かを判断するとともに、前記第２制御実行部を作動させて前記車両の測定された速度に応じて前記第１ダンパ及び前記第２ダンパの少なくとも一方を前記新鮮位置まで開いて前記車両用空調システム内に少なくとも新鮮な空気を導入する請求項７に記載のブロアシステム。
【請求項９】
前記第２操作実行部は、
前記車両の第１の所定の速度条件に応じて、前記第２制御実行部を作動させる第１速度応答実行部と、
前記車両の第２の所定の速度条件に応じて、前記第３制御実行部を作動させる第２速度応答実行部と、
を備えている請求項８に記載のブロアシステム。
【請求項１０】
前記ブロアケースは、更に、
第１空気流を前記ブロアケース内に向かわせる第１アクセスポートと、
第２空気流を前記ブロアケース内に向かわせる第２アクセスポートと、
前記第１アクセスポートと前記第２アクセスポートとの間にあり、前記第１空気流と前記第２空気流とを互いに分けるシール部材と、
から成る請求項７に記載のブロアシステム。
【請求項１１】
前記第１ダンパは、前記再循環位置と前記新鮮位置との間で前記第１アクセスポートへのアクセスを規制し、前記第２ダンパは、前記再循環位置と前記新鮮位置との間で前記第２アクセスポートへのアクセスを規制する請求項１０に記載のブロアシステム。
【請求項１２】
前記第１アクセスポート及び前記第２アクセスポートの一方は、主要再循環空気ポートであるように形成されており、前記第１アクセスポート及び前記第２アクセスポートの他方は、主要新鮮空気ポートであるように形成されている請求項１０に記載のブロアシステム。
【請求項１３】
前記主要再循環空気ポートは前記主要新鮮空気ポートよりも大きい請求項１２に記載のブロアシステム。
【請求項１４】
前記第１ダンパ及び前記第２ダンパは、それぞれ、前記ブロアケースに移動可能に取り付けられており、前記再循環位置と前記新鮮位置との間で選択的に位置が変化する請求項７に記載のブロアシステム。
【発明の詳細な説明】
【技術分野】
【０００１】
本発明は、空調システムの分野、特に、車両の空調システムに関する。
【背景技術】
【０００２】
車両は、暑い夏日に運転者及び乗員を快適にするために空調システムを通常備えている。空調システムは、車両のモータによって動力を得る空気圧縮機を備えており、該圧縮機は、揮発性の高い冷媒を、周知のように凝縮器と膨張弁と蒸発器とを備えるシステムに通す。典型的な車両の空調システムにおいて、新鮮な外気は該システム内に入り込んで冷却され、その後、車室内に吹き込まれる。
【０００３】
空調システムの性能及び効率は、周囲の温度及び湿度等のいくつかの条件の影響を受ける。周囲が暑く湿度の高い環境である場合は、車両内にて所望の温度及び湿度を得るために、新鮮な空気を冷却して該空気から水分を除去する動作を行う。この新鮮な空気は、車室内の冷却済みの空気に絶えず加えられる。空気が絶えず流入するので、空調システムは車室内において正の圧力を発生させている。従って、既に冷却済みの乾燥された空気は車室内から絶えず漏出することになり、空気冷却の損失を招く結果となる。従って、空調システムは、車室内の温度及び湿度を所望のレベルに維持するために、間断なく作動しなければならない。
【０００４】
しかし、車両の空調システムはエンジンから動力を得ているので、空調システムの動作が増えることによってエンジンに負荷が掛かり、その結果、燃料が消費して、熱効率を低下させることになる。従って、車室内の既に冷却された空気を空調システム内に再循環させることが以前から考えられてきた。この試みは、既に冷却された空気の温度及び湿度のレベルを維持して、車室内の空気冷却の損失を低減させることによって、空調システム内に入り込む新鮮な空気による負担を低下させるものである。
【０００５】
図１Ａに示されるように、典型的な空調ブロアケース１０は、“新鮮空気”モードで動作しており、該新鮮空気モードにおいて、第１ダンパ１２及び第２ダンパ１４は共に、車室の外からの新鮮な空気がブロアケース１０内に進入する第１位置まで開く。この新鮮な空気は、第１ダンパ１２及び第２ダンパ１４を通過し、該ダンパ１２、１４の下方にあるフィルタ１７とブロアファン１６とを通り、乗員室内に入る。
【０００６】
図１Ｂに示されるように、“再循環”モードにおいて、第１ダンパ１２及び第２ダンパ１４は、共に、第２位置まで開き、車室内からの空気がブロアファン１６によってブロアケース１０内に引き込まれてフィルタ１７を通り、乗員室に戻る。第１ダンパ１２及び第２ダンパ１４がこの第２位置にあるとき、該ダンパ１２、１４は、ブロアケース１０の上方に形成されたレール１８と接触する。レール１８によって、車両の外から入り込む新鮮な空気に対する気密シールがレール１８によって保証され、車室内の空気がブロアケース１０内に再循環するだけである。
【発明の開示】
【発明が解決しようとする課題】
【０００７】
しかし、レール１８はフィルタ１７から鉛直方向に離隔しており、流入する２つの空気の流れを効果的に互いに仕分ける役目を果たしているとは言えない。これは、２つのダンパ１２、１４が共に新鮮空気モードの際の位置又は再循環モードの際の位置にあるときは問題とはならないが、流入する２つの空気の流れを互いに分けることが不十分なので、車室の空気による部分的な再循環が実際には不可能となる。
【０００８】
可能であれば、清潔な空気及び燃料の管理を定める規格及び規定で、燃料の消費を低減させることが非常に望ましく、特に、性能及び消費者の期待を損なうことなく達成できることが望ましい。様々な周囲の環境条件下で空気冷却の損失を少なくするために、再循環される空気の制御、及び／又は、再循環される空気と新鮮な空気との混合物の形成を行うことが非常に望ましい。しかし、再循環される空気と新鮮な空気との量を選択的に制御することは今までできなかった。
【０００９】
例えば、図１Ａ及び図１Ｂに示される周知のシステムにおいて、車両が高速で走行している際、一方のダンパを第２位置（再循環位置）まで開き他方のダンパを第１位置（新鮮空気位置）に配置することによって、車室内の空気が再循環されてブロアケース内に入り込む場合、車両の走行によって形成される新鮮な空気の流れは、ブロアファン１６によって形成される空気の流れよりも遙かに強力な流れであるので、再循環空気の流れを圧倒してしまう。詳しくは、ブロアボックスとフィルタ１７との結合が十分にシールされた状態ではないため、流入する新鮮な空気の流れが隔絶されず即ちフィルタ１７の下部に収まらず、レール１８の下を流れてフィルタ表面全体を通過する。従って、従来では、新鮮な空気の流れを制御することが非常に難しく、また、再循環する空気の効果が得られない。更に、従来の構成では、部分的な再循環（即ち、新鮮な空気と再循環された空気とで構成される空気を車室内に戻すこと）は不可能である。
【課題を解決するための手段】
【００１０】
従来のシステムに関する問題は、本発明に係わる車両用空調システムのブロアシステムと該ブロアシステムの動作方法とによって解決される。本発明のブロアシステムは、車室内に循環される空気を受け入れるブロアケースを備えている。ブロアシステムは第１ダンパ及び第２ダンパを備えており、各ダンパの位置は、車室の空気をブロアケース内に再循環させる再循環位置と、車両の外からブロアケース内に新鮮な空気を導入する新鮮位置と、の間で選択的に変化する。車両用空調システムの出口温度が算出される。算出された出口温度に応じて、第１ダンパ及び第２ダンパを移動させる制御システムが設けられている。制御システムは、第１ダンパ及び第２ダンパを、第１位置即ち新鮮位置と第２位置即ち再循環位置との間で移動させる。新鮮位置は車両の外からブロアケース内に新鮮な空気を導入させる位置であり、再循環位置は車室の空気を再循環させてブロアケース内に戻す位置である。
【００１１】
本発明の範囲を逸脱しない限り、本発明は本書に記載された実施例以外の実施例が可能であり、その詳細事項の変更も可能であることは理解出来よう。従って、添付の図面及び以下の実施例は例示的なものに過ぎず本発明を限定するものではない。
【発明を実施するための最良の形態】
【００１２】
図２Ａ〜図２Ｄに示されるように、車両用空調システムのブロアシステム２０が開示されている。ブロアケース２２は、車室内に循環される空気を受け入れるために設けられている。第１ダンパ２４は、ブロアケース２２に揺動可能に取り付けられている。第１ダンパ２４は、車室の空気をブロアケース２２内に再循環させる再循環位置と、車両の外から新鮮な空気をブロアケース２２内に導入させる新鮮位置と、の間を移動する。第２ダンパ２６もまた、ブロアケース２２に揺動可能に取り付けられている。第２ダンパ２６は、車室の空気をブロアケース２２内に再循環させる再循環位置と、車両の外から新鮮な空気をブロアケース２２内に導入させる新鮮位置と、の間を移動する。第１ダンパ２４及び第２ダンパ２６は、図２Ａにおいては、第１位置即ち新鮮位置にあり、図２Ｃにおいては、第２位置即ち再循環位置にある。図２Ｂにおいて、第１ダンパ２４は第２位置即ち再循環位置にあり、第２ダンパ２６は第１位置即ち新鮮位置にある。第１及び第２ダンパ２４、２６は、本発明の範囲を逸脱しなければどのような構成でも可能ではあるが、コンピュータによって制御される電子式アクチュエータを用いて新鮮位置と再循環位置との間を移動することが好ましい。
【００１３】
ブロアケース２２は、また、ブロアケース２２内に向かう第１空気流を受け入れる第１アクセスポート３０を備えている。第２アクセスポート３２は、ブロアケース２２内に向かう第２空気流を受け入れるために設けられている。第１ダンパ２４及び第２ダンパ２６は、再循環位置と新鮮位置との間において、第１アクセスポート３０及び第２アクセスポート３２へのアクセスを、それぞれ規制する。図２Ｄに示されるように、レール３４ａは、第１ダンパ２４及び第２ダンパ２６用のシール面を提供するために使用されている。該レール３４ａは、第１アクセスポート３０と第２アクセスポート３２との間をシールして第１空気流と第２空気流とを互いに分けるシール部材３４ｂを備えている。
【００１４】
エアフィルタ３６ａは、第１ダンパ２４、第２ダンパ２６及びレール３４ａの下方に設けられている。矢印によって示されるように、エアフィルタ３６ａは、ブロアケース２２の側部内を通り抜けるようにスライドして、空気流を横断する方向に挿入される。エアフィルタ３６ａは、レール３４ａのシール部材３４ｂと接触する対応のシール３６ｂを備えて、第１及び第２空気流が互いに別れている状態を維持するのを手助けしている。
【００１５】
好ましくは、エアフィルタ３６ａのシール３６ｂは、該シール３６ｂがレール３４ａのシール部材３４ｂの下端とシールした状態で係合する位置であるエアフィルタ３６ａの上部から、エアフィルタ３６ａの底面まで延びていることによって、エアフィルタ３６ａを２つのエアフィルタ部に効果的に分割即ち区分けしている。この構成によって、流入する２つの空気流は、後述するように、フィルタ３６ａを通過するまでは互いに別れた状態を維持する。このようにして、再循環する空気は、車両の走行が原因で発生する新鮮な空気の大きな流れに圧倒されることなく、ブロアケース２２内に導入されることが可能となる。
【００１６】
ブロアシステム２０は、上記構成を備える結果、図２Ｂに示されるように、車室の空気による部分的な再循環を可能にする。この部分的な再循環とは、新鮮な空気を引き込み、該新鮮な空気と車室から再循環された空気とを混合させることである。これは、後述するように、使用者の好みに応じて、温度及び湿度のレベルを効率よく管理するために行われる。第１アクセスポート３０は、車室から再循環される空気の大半を受け入れる主要再循環空気ポートとなるように好ましくは形成されている。第２アクセスポート３２は、車両の外の新鮮な空気の大半を受け入れる主要新鮮空気ポートとなるように形成されている。
【００１７】
車両の外からの新鮮な空気の流れを制御するために、第１アクセスポート３０及び第２アクセスポート３２は、再循環された空気がブロアケース２２内に多量に流れることができるように形成されている。特に図２Ｄに示されるように、主要再循環空気ポート３０は、比較的大きなポートであり、主要新鮮空気ポート３２は主要再循環空気ポート３０よりも小さい。
【００１８】
また、エアフィルタ３６ａは、第１フィルタ部３６ｄと第２フィルタ部３６ｅとを備えており、第１エアフィルタ部３６ｄと第２エアフィルタ部３６ｅとは上述のシール部材３６ｂによって互いに仕切られている。第１フィルタ部３６ｄは、主要再循環空気ポート３０と協力して、該ポート３０から空気を受け取り、第２フィルタ部３６ｅは、主要新鮮空気ポート３２と協力して該ポート３２から空気を受け取る。従って、第１フィルタ部３６ｄは第２フィルタ部３６ｅよりも大きくなっており、再循環される空気流用の比較的大きな流体開口を提供するとともに、高圧力の新鮮な空気流用の小さな流体開口を提供している。これによって、新鮮な空気の量は制限される。このようにして、ブロアケース２２内への新鮮な高圧力空気流は所望のレベルにまで減少して、主要再循環空気ポート３０を通過する空気流のレベルを高くさせる。
【００１９】
本発明の方法及び装置は、暑く湿度の高い日に特に有効である。図３に示されるような例において、新鮮な空気は３０℃の温度及び６０％の相対湿度でもって進入する。車室内の空気は２４℃の温度及び３３％の相対湿度でもって再循環する。これらの２つの空気の流れがブロアケース内で混合されるとき、形成された合成空気は２７℃の温度と４５％の相対湿度を有している。
【００２０】
車両の温度及び湿度はセンサ４０に監視される。該センサ４０は車室の温度及び湿度の一方或いは両方を測定する。このようなセンサは米国特許出願番号第10/881,347号及び10/881,406号（弁護士名簿番号：HRA-15555及びHRA-15607）に開示されており、この２件の文献の内容を本書に含めることとする。図示されたセンサ４０は車室の後方にあるが、該センサ４０は、乗員のいる場所の温度及び湿度を測定できるのであれば、車室内でどのような場所に配置されていてもよい。従って、空調システム内に入り込む新鮮な空気を減らすことによって、空調システムが車室を快適なレベルに維持するために行う必要のある仕事は減り、その結果、熱効率は上昇する。
【００２１】
図４のグラフは、本発明の方法及び装置が消費する馬力を周囲の温度の関数として示している。グラフに示されるように、提案されたレベルである約２０％の新鮮な空気の場合、馬力が周囲の温度全般にわたって節約されており望ましい。図５は、車両用空調システムの圧縮機の負荷を低減させるために、車室の空気の再循環を制御する方法を示している。本発明の方法は、本発明の範囲を逸脱せずに、使用可能なハードウェア、ソフトウェア又はファームウェアを適宜に実現及び実行させることによって可能となる。コンピュータによって実現される好適な制御システム７０が図６に示されている。本発明の方法は、車両用空調システムの出口における温度（TAO）（出口温度）を算出するステップを伴う。このTAOは、言い換えれば、車両内部即ち車室内にある空調用の通気孔の出口における温度である。
【００２２】
これに関して、TAOとは上記出口温度の算出値であり、当業界では周知である。このTAOは、感知された車室の温度、ソーラーロード（solar load）、周囲の温度等の多数のパラメータに基づくが、主に、使用者が入力した所望の車室温度の設定値に基づいている。また、算出された出口温度（TAO）は、ファンの速度及び通気孔の選択を制御するための自動動作モードによく使用されることは当業界では周知である。この自動動作モードによる制御の設定は、制御システムのある部分によって変更されて応答性を向上させ、車室内において運転者及び乗員のいる箇所を快適にするのを手助けする。
【００２３】
本発明の方法及び制御システムにおいて、図５及び図６に示されるように、計算実行部７２は、車両用空調システムの出口温度を算出するために使用される。算出された出口温度が所定の出口温度以上か否かの判別が行われる。ステップ５２において、算出された出口温度（TAO）が所定の出口温度（第１所定出口温度）、即ち、−１０℃未満である場合、第１制御実行部７４は、第１及び第２ダンパ２４、２６を再循環位置まで移動させて、新鮮な空気の流入を遮断し、車室の空気の再循環のみが行われるようにする（図２Ｃ）。反対に、ステップ５２において、TAOが第１所定出口温度（即ち、−１０℃）以上であることが判った場合、ステップ５６において、TAOは第２所定出口温度と比較される。この第２所定出口温度は、図５の例では、４０℃である。
【００２４】
算出された出口温度（TAO）が第２所定出口温度以上である場合、第３制御実行部７８は、第１及び第２ダンパ２４、２６を第１位置即ち新鮮位置に移動させて（ステップ５８）、新鮮な空気を車両用空調システム内に導入することだけ行う（図２Ａ）。反対に、測定された出口温度が第１所定出口温度以上ではあるが第２所定出口温度未満であると判断された場合、第２制御実行部７６は、所定の環境条件、好ましくは、相対湿度に応じて、第２ダンパ２６を新鮮位置に移動させるとともに、第１ダンパ２４を上述のように新鮮位置まで移動させるか或いは（図２Ｂに示されるように）新鮮な空気と再循環された空気との混合物を提供するために再循環位置に移動させる。車室内の相対湿度は、ステップ６０において、センサ４０で測定される。
【００２５】
湿度応答型制御実行部８０は、様々な湿度条件に応じて、第１及び第２ダンパ２４、２６を移動させるために使用される。ステップ６０において、測定された相対湿度が所定レベル、即ち、２５％以下であると判断された場合、湿度応答型制御実行部８０の第１操作実行部８２は、ステップ５９において、新鮮な空気のみが車両用空調システム内に導入されるように、第１及び第２ダンパ２４、２６を第１位置即ち新鮮位置まで移動させる。ステップ６０において、測定された相対湿度が所定レベルを超えていると判断された場合、湿度応答型制御実行部８０の第２操作実行部８４は、ステップ６２のグラフに示されるように車速及びブロアモータの電圧に基づいて第１及び第２ダンパ２４、２６の位置を制御する。
【００２６】
詳しくは、部分領域６４は、使用者による空調の設定ポイントに対応する車速及びブロアモータの電圧の範囲によって設定された領域であり、部分領域６４においては、上述の部分的な再循環が可能となる。この部分領域６４において、第１ダンパ２４は再循環位置にあり、第２ダンパ２６は新鮮位置にある。新鮮領域６６は、新鮮な空気だけが導入されるブロアモータの電圧及び車速の範囲によって設定された領域であり、この新鮮領域６６において、第１及び第２ダンパ２４、２６は共に新鮮位置にある。
【００２７】
このようにして、本発明の方法及びシステムによって、車両用空調システム内に流入する新鮮な空気を厳格に制御することができる。従って、本発明の方法及びシステムは、得られた快適さを低下させることなく、空調システムの圧縮機及びエンジンに掛かる負荷を低減させることができる。従って、本発明の方法及びシステムは、自動車の運転状況下での熱効率の上昇を可能にする。
【００２８】
上述したように、本発明は従来の装置に関する多くの問題を解決している。しかし、本発明の本質を説明するために図示及び説明した構成、素材、及び詳細事項についての様々な変更を当業者が請求項に記載された範囲内において行えることは理解されたい。
【図面の簡単な説明】
【００２９】
【図１Ａ】車両用空調システムにおける新鮮な空気又は再循環される空気を選択する従来の方法を示す図。
【図１Ｂ】車両用空調システムにおける新鮮な空気又は再循環される空気を選択する従来の方法を示す図。
【図２Ａ】本発明に係わる車両用空調システムにおいて新鮮な空気又は再循環される空気を選択するだけでなく、これらの２つの空気の混合物を提供する方法及びブロアケースの構成を示す図。
【図２Ｂ】本発明に係わる車両用空調システムにおいて新鮮な空気又は再循環される空気を選択するだけでなく、これらの２つの空気の混合物を提供する方法及びブロアケースの構成を示す図。
【図２Ｃ】本発明に係わる車両用空調システムにおいて新鮮な空気又は再循環される空気を選択するだけでなく、これらの２つの空気の混合物を提供する方法及びブロアケースの構成を示す図。
【図２Ｄ】本発明に係わる車両用空調システムにおいて新鮮な空気又は再循環される空気を選択するだけでなく、これらの２つの空気の混合物を提供する方法及びブロアケースの構成を示す図。
【図３】本発明の方法に従って動作する空調システムを備える車両の外形を示す図。
【図４】本発明の方法によって可能となるエネルギーの節約を示すグラフ。
【図５】本発明に従って新鮮な空気と再循環される空気との混合物を制御する方法を示す制御ロジックの概略図。
【図６】本発明に係わる制御システムの動作の概略を示すブロック図。
【図１Ａ】
2008517822.tif 000003
【図１Ｂ】
2008517822.tif 000004
【図２Ａ】
2008517822.tif 000005
【図２Ｂ】
2008517822.tif 000006
【図２Ｃ】
2008517822.tif 000007
【図２Ｄ】
2008517822.tif 000008
【図３】
2008517822.tif 000009
【図４】
2008517822.tif 000010
【図５】
2008517822.tif 000011
【図６】
2008517822.tif 000012
【国際調査報告】
2008517822.tif 000013
2008517822.tif 000014